(57)【要約】【課題】梱包材に、被梱包物の大きさに対する追随性を、合理的に付与させる。【解決手段】第二領域１２に山折り用線８と実質的に平行をなす補助谷折り用線１９を有している。第二領域１２は、第一領域１１においてベース板２の表面２ａと押さえシート３との間に被梱包物Ｍを入れ込んだ状態から、山折り用線８を利用した折りにより第二領域１２が前記ベース板２の第一領域１１の裏面２ｂ側に位置されるようしたときに外箱Ｂの一面Ｂａに突き当たるようになっている。第三領域１３は、第一谷折り用線９を利用した折りにより第三領域１３を起立させたときに、外箱Ｂの他面に突き当たる。第四領域１４は、第二谷折り用線１０を利用した折りにより第四領域１４を起立させたときに、外箱Ｂの他面Ｂｂに突き当たるようになっている。【選択図】図１
2018177258.tif 000002
【特許請求の範囲】
【請求項１】
ベース板と、
前記ベース板の表面側との間で被梱包物を保持する押さえシートとを備えてなり、
前記被梱包物を保持した状態で外箱内に納められる梱包材であって、
前記ベース板は、第一辺部とこれに対向する第二辺部との間にあって前記ベース板を区分する山折り用線と、
前記第一辺部と前記第二辺部との間に位置される第三辺部よりも前記ベース板の中心側にあって前記第一辺部と前記第二辺部間に亘る第一谷折り用線と、
前記第三辺部に対向する第四辺部よりも前記ベース板の中心側にあって前記第一辺部と前記第二辺部間に亘る第二谷折り用線とを有し、
前記第一辺部と前記山折り用線と前記第一谷折り用線と前記第二谷折り用線とに囲まれた箇所を前記被包装物に接する第一領域とすると共に、
前記山折り用線と前記第二辺部との間の第二領域にあって前記山折り用線と実質的に平行をなす補助谷折り用線とを有しており、
前記押さえシートは、前記第一辺部に一端部側を止着し、かつ、前記第二辺部に他端部側を止着させており、
前記第二領域は、前記第一領域において前記ベース体の表面と前記押さえシートとの間に前記被梱包物を入れ込んだ状態から、前記山折り用線を利用した折りにより前記第二領域が前記ベース体の前記第一領域の裏面側に位置されるようしたときに前記外箱の一面に突き当たるようになっており、
かつ、前記ベース板における前記第一谷折り用線と前記第三辺部との間に位置される第三領域は、前記第二領域が前記ベース体の前記第一領域の裏面側に位置されるようした状態から、前記第一谷折り用線を利用した折りにより前記第三領域を起立させたときに、前記外箱の他面に突き当たり、
前記ベース板における前記第二谷折り用線と前記第四辺部との間に位置される第四領域は、前記第二領域が前記ベース板の前記第一領域の裏面側に位置されるようした状態から、前記第二谷折り用線を利用した折りにより前記第四領域を起立させたときに、前記外箱の他面に突き当たるようになっている、梱包材。
【請求項２】
前記第二領域に、隣り合う補助谷折り用線との間に間隔開けて、二以上の補助谷折り用線を備えさせてなる、請求項１に記載の梱包材。
【発明の詳細な説明】
【技術分野】
【０００１】
この発明は、被梱包物を保持した状態で外箱内に納められて、外箱内の所望の位置に前記被梱包物を位置づける梱包材の改良に関する。
【背景技術】
【０００２】
梱包用の内装材（梱包材）として、特許文献１に示されるものがある。この内装材は、ベースボードと押さえシートとから構成される。ベースボードの左右には下向きに折り返される立ち下がり部分がそれぞれ形成されている。押さえシートはベースボードの左右にそれぞれ固定されてベースボードの上面を覆うようになっている。ベースボードの上面と押さえシートとの間に被梱包物を納めた状態からベースボードの立ち下がり部分を折り返すと押さえシートが緊張して被梱包物をベースボードの上面の所定の位置に保持するようになっている。
【先行技術文献】
【特許文献】
【０００３】
【特許文献１】特許第４３９５６７５号公報
【発明の概要】
【発明が解決しようとする課題】
【０００４】
特許文献１のものは、被梱包物の大きさに対する追随性がない。すなわち、特許文献１のものは、ベースボードの左右寸法と押さえシートの左右寸法は実質的に等しく、この関係は変えることができない。このために、特許文献１のものでは、押さえシートとベースボードの上面との間には一定の大きさ以下の被梱包物しか納めることができない。
【０００５】
この発明が解決しようとする主たる問題点は、この種の梱包材に、被梱包物の大きさに対する追随性を、合理的に付与させる点にある。
【課題を解決するための手段】
【０００６】
前記課題を達成するために、この発明にあっては、梱包材を、
ベース板と、
前記ベース板の表面側との間で被梱包物を保持する押さえシートとを備えてなり、
前記被梱包物を保持した状態で外箱内に納められる梱包材であって、
前記ベース板は、第一辺部とこれに対向する第二辺部との間にあって前記ベース板を区分する山折り用線と、
前記第一辺部と前記第二辺部との間に位置される第三辺部よりも前記ベース板の中心側にあって前記第一辺部と前記第二辺部間に亘る第一谷折り用線と、
前記第三辺部に対向する第四辺部よりも前記ベース板の中心側にあって前記第一辺部と前記第二辺部間に亘る第二谷折り用線とを有し、
前記第一辺部と前記山折り用線と前記第一谷折り用線と前記第二谷折り用線とに囲まれた箇所を前記被包装物に接する第一領域とすると共に、
前記山折り用線と前記第二辺部との間の第二領域にあって前記山折り用線と実質的に平行をなす補助谷折り用線とを有しており、
前記押さえシートは、前記第一辺部に一端部側を止着し、かつ、前記第二辺部に他端部側を止着させており、
前記第二領域は、前記第一領域において前記ベース板の表面と前記押さえシートとの間に前記被梱包物を入れ込んだ状態から、前記山折り用線を利用した折りにより前記第二領域が前記ベース板の前記第一領域の裏面側に位置されるようしたときに前記外箱の一面に突き当たるようになっており、
かつ、前記ベース板における前記第一谷折り用線と前記第三辺部との間に位置される第三領域は、前記第二領域が前記ベース板の前記第一領域の裏面側に位置されるようした状態から、前記第一谷折り用線を利用した折りにより前記第三領域を起立させたときに、前記外箱の他面に突き当たり、
前記ベース板における前記第二谷折り用線と前記第四辺部との間に位置される第四領域は、前記第二領域が前記ベース板の前記第一領域の裏面側に位置されるようした状態から、前記第二谷折り用線を利用した折りにより前記第四領域を起立させたときに、前記外箱の他面に突き当たるようになっている、ものとした。
【０００７】
ベース板の第一領域の表面と押さえシートとの間に被包装物を納めた状態から、山折り用線を利用して第二領域を第一領域の裏面側に位置されるように折る。これにより、押さえシートにより第一領域の表面の所望の位置に被包装物を押しつけこれを保持することができる。この状態から、第三領域と、第四領域を起立させ、被包装物を保持した梱包材を外箱に収めると、梱包材は、外箱の一面に第二領域で接し、外箱の他面に第三領域及び第四領域で接するようにできることから、保持された被包装物は直接的には外箱に接しない状態で外箱内に納められる。
【０００８】
補助谷折り用線を利用して、第二領域を折ると、第一辺部と第二辺部との間の距離が小さくなることから、押さえシートに余裕（たるみ）を生じさせることができる。これにより、第二領域を折らない状態ではベース板の第一領域の表面と押さえシートとの間に納め難い大きさの被包装物も第二領域を折ることで納められるようになる。第二領域を折った状態でベース板の第一領域の表面と押さえシートとの間に被包装物を納めた状態から、山折り用線を利用して第二領域を第一領域の裏面側に位置されるように折れば、前記と同様に押さえシートにより第一領域の表面の所望の位置に被包装物を押しつけこれを保持することができる。
【０００９】
前記第二領域に、隣り合う補助谷折り用線との間に間隔開けて、二以上の補助谷折り用線を備えさせておくことが、この発明の態様の一つとされる。
【発明の効果】
【００１０】
この発明によれば、ベース板の表面と押さえシートとの間に被包装物を納めた状態から折りを施すことで被梱包物を保持する梱包材に、被梱包物の大きさに対する追随性を、合理的に付与させることができる。
【図面の簡単な説明】
【００１１】
【図１】図１は、この発明の一実施の形態にかかる梱包材の表面図であり、立体化前の状態を示している。
【図２】図２は、前記梱包材の斜視図である。
【図３】図３は、前記梱包材の第一領域と押さえシートの間で被梱包物を保持した状態を示した斜視図である。
【図４】図４は、図３の状態をベース板の裏面側から見て示した斜視図である。
【図５】図５は、補助谷折り用線を利用して第二領域に折りを施して押さえシートに余裕を作出した状態の斜視図である。
【図６】図６は、図５の状態下で第一領域と押さえシートの間で被梱包物を保持した状態を示した斜視図である。
【図７】図７は、図６の状態からさらに第三領域と第四領域とを起立させた状態の断面図である。
【図８】図８は、図７の状態の梱包材の斜視図である。
【図９】図９は、梱包材を外箱に収めた状態の断面図である。
【図１０】図１０は、図１〜図９に示される梱包材の構成の一部変更例を示した表面図である。
【発明を実施するための形態】
【００１２】
以下、図１〜図１０に基づいて、この発明の典型的な実施の形態について、説明する。この実施の形態にかかる梱包材１は、被梱包物Ｍを保持した状態で外箱Ｂ内に納められるものであり、外箱Ｂ内の所望の位置に被梱包物Ｍを位置づけるように機能するものである。
【００１３】
かかる梱包材１は、ベース板２と、前記ベース板２の表面２ａ側との間で被梱包物Ｍを保持する押さえシート３とを備えてなる。
【００１４】
前記ベース板２としては、典型的には、段ボールシート、板紙などを用いることができる。前記押さえシート３としては、典型的には、合成樹脂製のシートなどを用いることができる。
【００１５】
前記ベース板２は、第一辺部４と、これに対向する位置にあると共に第一辺部４と実質的に平行をなす第二辺部５との間にあって、前記ベース板２を図１においては左右に区分する山折り用線８と、
前記第一辺部４及び前記第二辺部５に共に直交する第三辺部６よりも前記ベース板２の中心側にあって前記第三辺部６と実質的に平行をなす第一谷折り用線９と、
前記第三辺部６に対向する第四辺部７よりも前記ベース板２の中心側にあって前記第四辺部７と実質的に平行をなす第二谷折り用線１０とを有している。
これらの折り用線は、罫線、ハーフカット、リード罫、ミシン刃など、段ボールシートなどに折りを施しやすくする公知の手法を用いて構成される。
【００１６】
また、前記ベース板２は、以下の領域を有している。
（第一領域１１）
前記第一辺部４と前記山折り用線８と前記第一谷折り用線９と前記第二谷折り用線１０とに囲まれた領域
（第二領域１２）
前記山折り用線８と前記第二辺部５との間に位置される領域
（第三領域１３）
前記第一谷折り用線９と前記第三辺部６との間に位置される領域
（第四領域１４）
前記第二谷折り用線１０と前記第四辺部７との間に位置される領域
【００１７】
図１中、符号１５は、前記第二領域１２と前記第三領域１３とが重なり合った重複領域となっている。
【００１８】
図１中、符号１６は、前記第二領域１２と前記第四領域１４とが重なり合った重複領域となっている。
【００１９】
前記押さえシート３は、前記第一辺部４に一端部３ａ側を止着し、かつ、前記第二辺部５に他端部３ｂ側を止着させている（図４）。
【００２０】
図示の例では、押さえシート３は、ベース板２の第一辺部４と第二辺部５との間の距離よりもやや大きいＸ方向（図１における左右方向）の寸法と、ベース板２の第一谷折り用線９と第二谷折り用線１０との間の距離よりもやや大きいＹ方向（Ｘ方向に直交する方向／図１における上下方向）の寸法とを備えた四角形の輪郭を備えている。図示の例では、押さえシート３のＹ方向に沿った一端部３ａをベース板２の裏面２ｂ側において第一辺部４に接着し、押さえシート３のＹ方向に沿った他端部３ｂをベース板２の裏面２ｂ側において第二辺部５に接着して、ベース板２の表面２ａにおける前記第一領域１１（被梱包物Ｍに接する四角形の領域）の全体と、前記第二領域１２における重複領域を除いた箇所の全体を、押さえシート３によって覆っている。
【００２１】
また、図示の例では、前記第一領域１１のＸ方向の寸法は、前記第二領域１２のＸ方向の寸法よりも大きくなっている。
【００２２】
そして、前記ベース板２の第二領域１２は、前記第一領域１１において前記ベース板の表面２ａと前記押さえシート３との間に前記被梱包物Ｍを入れ込んだ状態から、前記山折り用線８を利用した折りにより前記第二領域１２が前記ベース板２の第一領域１１の裏面２ｂ側に位置されるようしたときに前記外箱Ｂの一面Ｂａに突き当たるようになっている。
【００２３】
また、前記ベース板２の第三領域１３は、前記第二領域１２が前記ベース板２の前記第一領域１１の裏面２ｂ側に位置されるようした状態から、前記第一谷折り用線９を利用した折りにより前記第三領域１３を起立させたときに、前記外箱Ｂの他面Ｂｂに突き当たるようになっている。
【００２４】
また、前記ベース板２の第四領域１４は、前記第二領域１２が前記ベース板２の前記第一領域１１の裏面２ｂ側に位置されるようした状態から、前記第二谷折り用線１０を利用した折りにより前記第四領域１４を起立させたときに、前記外箱Ｂの他面Ｂｂに突き当たるようになっている。
【００２５】
ベース板２の第一領域１１の表面２ａと押さえシート３との間に被梱包物Ｍを納めた状態から、山折り用線８を利用して第二領域１２を第一領域１１の裏面２ｂ側に位置されるように折る。これにより、押さえシート３により第一領域１１の表面２ａの所望の位置に被梱包物Ｍを押しつけこれを保持することができる。この状態から、第三領域１３と、第四領域１４を起立させ、被梱包物Ｍを保持した梱包材１を、一面Ｂａと他面Ｂｂとの間の距離を前記折りにより第一領域１１の裏面２ｂ側に位置された第二領域１２と第三領域１３及び第四領域１４との間の距離と実質的に等しくした外箱Ｂに収める。梱包材１は、外箱Ｂの一面に第二領域１２で接し、外箱Ｂの他面に第三領域１３及び第四領域１４で接するようにできることから、保持された被梱包物Ｍは直接的には外箱Ｂに接しない状態で外箱Ｂ内に納められる。
【００２６】
なお、図示の例では、梱包材１は、外箱Ｂの一面には第三領域１３及び第四領域１４の折りによって第一領域１１の裏面２ｂ側に突き出す突片１７によっても突き当たるようになっている。
【００２７】
また、図示の例では、第三領域１３及び第四領域１４における外箱Ｂの他面Ｂｂに突き当たる箇所は、第三領域１３及び第四領域１４を第一領域１１に直交する向きに折り立ち上げたときに、さらに第一領域１１に平行をなすように折られる第三領域１３及び第四領域１４の先端部１８によって構成されている。
【００２８】
また、前記第二領域１２には、前記山折り用線８と実質的に平行をなす補助谷折り用線１９が形成されている。
【００２９】
補助谷折り用線１９を利用して、第二領域１２を折ると、第一辺部４と第二辺部５との間の距離が小さくなることから、前記Ｘ方向において押さえシート３に余裕（たるみ）を生じさせることができる。これにより、第二領域１２を折らない状態ではベース板２の第一領域１１の表面２ａと押さえシート３との間に納め難い大きさの被梱包物Ｍも第二領域１２を折ることで納められるようになる。第二領域１２を折った状態でベース板２の第一領域１１の表面２ａと押さえシート３との間に被梱包物Ｍを納めた状態から、山折り用線８を利用して第二領域１２を第一領域１１の裏面２ｂ側に位置されるように折れば、前記と同様に押さえシート３により第一領域１１の表面２ａの所望の位置に被梱包物Ｍを押しつけこれを保持することができる。
【００３０】
図示の例では、前記第二領域１２に、隣り合う補助谷折り用線１９との間に間隔開けて、二つの補助谷折り用線１９、１９を備えさせている。
【００３１】
山折り用線８に近い側の補助谷折り用線１９を利用した第二領域１２を折った場合ほど、押さえシート３の余裕は大きくなる（図５）。このようにすれば、被梱包物Ｍの大きさに応じて押さえシート３の余裕を数段階に調整することが可能となる。
【００３２】
補助谷折り用線１９は、第二領域１２に、三箇所以上設けさせるようにしてあっても構わない。
【００３３】
図１０は、以上に説明した梱包材１の構成の一部を変更した例を示している。この例では、第二領域１２における山折り用線８との距離をもっとも大きくする補助谷折り用線１９の外側にさらに追加谷折り用線２０を形成させている。この追加谷折り用線は２０補助谷折り用線１９と平行をなしている。この例では、ベース板２の第一領域１１の表面２ａと押さえシート３との間に被梱包物Ｍを納めるに先だって、追加谷折り用線２０を先ず折り、押さえシート３に一定の余裕を予め確保させることができるようになっている。
【００３４】
なお、当然のことながら、本発明は以上に説明した実施態様に限定されるものではなく、本発明の目的を達成し得るすべての実施態様を含むものである。
【符号の説明】
【００３５】
２  ベース板
２ａ  表面
２ｂ  裏面
３  押さえシート
８  山折り用線
９  第一谷折り用線
１０  第二谷折り用線
１１  第一領域
１２  第二領域
１３  第三領域
１４  第四領域
１９  補助谷折り用線
Ｍ  被梱包物
Ｂ  外箱
Ｂａ  一面
Ｂｂ  他面
【図１】
2018177258.tif 000003
【図２】
2018177258.tif 000004
【図３】
2018177258.tif 000005
【図４】
2018177258.tif 000006
【図５】
2018177258.tif 000007
【図６】
2018177258.tif 000008
【図７】
2018177258.tif 000009
【図８】
2018177258.tif 000010
【図９】
2018177258.tif 000011
【図１０】
2018177258.tif 000012